(57)【要約】【課題】  ユーザからのアクセス数に応じてメディアへの金銭的還元を確保する。【解決手段】  広告主の商用情報を、ＷＥＢ上で閲覧可能な商用情報掲載ページに掲載する少なくとも一つの商用サーバ装置１０と、商用サーバ装置１０の商用情報掲載ページにリンクされた広告情報を、ＷＥＢ上で閲覧可能な第１の広告情報掲載ページに掲載する第１の広告掲載サーバ装置２０と、商用サーバ装置１０の商用情報掲載ページまたは商用サーバ装置１０以外の商用サーバ装置の商用情報掲載ページにリンクされた広告情報を、ＷＥＢ上で閲覧可能な第２の広告情報掲載ページに掲載する第２の広告掲載サーバ装置３０と、を備え、第２の広告掲載サーバ装置３０は、第１の広告掲載サーバ装置１０の第１の広告情報掲載ページにリンクされた特定広告情報を、第２の広告情報掲載ページに掲載する。【選択図】  図１
2007334661.tif 000002
【特許請求の範囲】
【請求項１】
広告主の商用情報を、ＷＥＢ上で閲覧可能な商用情報掲載ページに掲載する少なくとも一つの商用サーバ装置と、
前記商用サーバ装置の商用情報掲載ページにリンクされた広告情報を、ＷＥＢ上で閲覧可能な第１の広告情報掲載ページに掲載する第１の広告掲載サーバ装置と、
前記商用サーバ装置の商用情報掲載ページまたは前記商用サーバ装置以外の商用サーバ装置の商用情報掲載ページにリンクされた広告情報を、ＷＥＢ上で閲覧可能な第２の広告情報掲載ページに掲載する第２の広告掲載サーバ装置と、を備え、
前記第２の広告掲載サーバ装置は、前記第１の広告掲載サーバ装置の第１の広告情報掲載ページにリンクされた特定広告情報を、前記第２の広告情報掲載ページに掲載することを特徴とする広告情報提供システム。
【請求項２】
前記第１の広告掲載サーバ装置は、
前記第２の広告情報掲載ページに掲載された特定広告情報から前記第１の広告情報掲載ページに遷移した回数をカウントし、
前記カウント値に基づいて定められた金銭的価値を示すデータを出力することを特徴とする請求項１記載の広告情報提供システム。
【発明の詳細な説明】
【技術分野】
【０００１】
本発明は、広告主の商用情報を、ＷＥＢ上で閲覧可能な広告情報掲載ページに掲載する広告情報提供システムに関する。
【背景技術】
【０００２】
従来から、インターネット上で広告を行なう手法が知られている。例えば、「バナー」のように、Ｗｅｂサイトに広告の画像を貼り、広告主のＷｅｂサイトにリンクする手法がある。このバナーでは、（１）画像の表示回数に対して課金する方法（インプレッション保証型）の他、（２）実際にユーザがクリックした回数に応じて課金する方法（クリック保証型）や、（３）広告主のＷｅｂサイトで実際に成約に至った件数に対して課金する方法（成果保証型）など、様々な課金方法がある。
【０００３】
また、アフィリエイトと呼ばれるシステムも知られている。このアフィリエイトは、Ｗｅｂサイトやメールマガジンに企業サイトへのリンクを張り、ユーザがそこを経由して商品を購入したりすると、サイトやメールマガジンの管理者に報酬が支払われるというシステムである。システムは成果保証型広告と同じであるが、アフィリエイトの場合には、その商品やサービスに関連した情報を掲載するＷｅｂサイトやメールマガジンが主な対象となる点が異なり、それらと電子商取引サイトの間のパートナーシップの側面が強調されている。
【０００４】
また、成果保証型広告は、インターネット広告の料金モデルの一つで、広告によって実際に成果が生じた場合にのみ、媒体運営者に報酬が支払われる方式である。例えば、バナー広告をクリックして企業のＷｅｂサイトに遷移し、さらに商品購入をした場合や、会員登録をした場合などに、一定の金額がメディアに支払われる。売り上げの一部が還元される場合が多く、一回当たりの報酬は高いが、報酬を得られる回数は少ない。
【０００５】
また、特許文献１には、アフィリエイト方式を利用した広告方法が開示されている。この広告方法は、本部に登録したテナント店が宣伝広告する商品を携帯電話で閲覧できるホームページ（１）と、加盟店がテナント店の宣伝広告する商品の中から選択した商品を販売するホームページ（２）と、登録会員が所属する加盟店の選択した商品を閲覧し、購入することができるホームページ（３）とを設け、登録会員が所属する加盟店の選択した商品を購入すると加盟店にはテナント店から売上手数料が入る構成を採っている。
【０００６】
また、特許文献２には、電子メールによるバナー広告を用いた広告方法が開示されている。この広告方法は、本部に登録したテナント店の宣伝広告を携帯電話で閲覧できるようにするステップと、加盟店が新たな登録会員を集めるステップと、登録会員が新たな登録会員を集めるステップと、本部から加盟店又は登録会員の各々に自身及び配下の登録会員の宣伝広告閲覧件数に応じたポイントが与えられ、蓄積されるステップとを有し、加盟店又は登録会員が蓄積されたポイントによってテナント店の商品を購入することが可能な構成を採っている。
【特許文献１】特開２００６−０１８４６０号公報
【特許文献２】特開２００５−１４１２７８号公報
【発明の開示】
【発明が解決しようとする課題】
【０００７】
しかしながら、従来のアフィリエイト広告では、広告単価に獲得件数を乗じた額が広告主からメディア側（サイトオーナ）へ支払われることになっているが、広告主が承認するまではメディア側の報酬が未確定であるという不都合がある。
【０００８】
また、成果保証型広告やクリック保証型広告では、（１）バナー広告のデザインが悪い場合、（２）商品やサービス自体に魅力がない場合、（３）広告主側のシステムやサイトのデザインに問題があって成果が出ない場合など、本来は広告主側が負担すべきリスクをすべてメディア側が負担することとなる。このため、単価が高くならなければ、メディア側にとっては利益を生み出すことが難しい。
【０００９】
本発明は、このような事情に鑑みてなされたものであり、ユーザからのアクセス数に応じてメディアへの金銭的還元を確保することができる広告情報提供システムを実現することを目的とする。
【課題を解決するための手段】
【００１０】
（１）上記の目的を達成するために、本発明は、以下のような手段を講じた。すなわち、本発明の広告情報提供システムは、広告主の商用情報を、ＷＥＢ上で閲覧可能な商用情報掲載ページに掲載する少なくとも一つの商用サーバ装置と、前記商用サーバ装置の商用情報掲載ページにリンクされた広告情報を、ＷＥＢ上で閲覧可能な第１の広告情報掲載ページに掲載する第１の広告掲載サーバ装置と、前記商用サーバ装置の商用情報掲載ページまたは前記商用サーバ装置以外の商用サーバ装置の商用情報掲載ページにリンクされた広告情報を、ＷＥＢ上で閲覧可能な第２の広告情報掲載ページに掲載する第２の広告掲載サーバ装置と、を備え、前記第２の広告掲載サーバ装置は、前記第１の広告掲載サーバ装置の第１の広告情報掲載ページにリンクされた特定広告情報を、前記第２の広告情報掲載ページに掲載することを特徴としている。
【００１１】
このように、第２の広告掲載サーバ装置は、第１の広告掲載サーバ装置の第１の広告情報掲載ページにリンクされた特定広告情報を、第２の広告情報掲載ページに掲載するので、第１の広告掲載サーバ装置が、広告代理店の機能を果たし、特定広告情報を介して、第１の広告情報掲載ページにリンクされている広告情報が、第２の広告情報掲載ページからもアクセスすることが可能となる。これにより、広告効果を高めることが可能となる。
【００１２】
（２）また、本発明の広告情報提供システムにおいて、前記第１の広告掲載サーバ装置は、前記第２の広告情報掲載ページに掲載された特定広告情報から前記第１の広告情報掲載ページに遷移した回数をカウントし、前記カウント値に基づいて定められた金銭的価値を示すデータを出力することを特徴としている。
【００１３】
このように、第２の広告情報掲載ページに掲載された特定広告情報から前記第１の広告情報掲載ページに遷移した回数をカウントし、前記カウント値に基づいて定められた金銭的価値を示すデータを出力するので、その回数に応じて第２の広告掲載サーバ装置を運営するオーナは、報酬を確実に得ることが可能となる。また、回数に応じて報酬が定まるため、公平性を確保することができる。技術的には、遷移した回数とは、ユーザが第２の広告情報掲載ページで特定広告情報をクリックした回数のことを意味する。
【発明の効果】
【００１４】
本発明の広告情報提供システムによれば、第２の広告掲載サーバ装置は、第１の広告掲載サーバ装置の第１の広告情報掲載ページにリンクされた特定広告情報を、第２の広告情報掲載ページに掲載するので、第１の広告掲載サーバ装置が、広告代理店の機能を果たし、特定広告情報を介して、第１の広告情報掲載ページにリンクされている広告情報が、第２の広告情報掲載ページからもアクセスすることが可能となる。これにより、広告効果を高めることが可能となる。
【発明を実施するための最良の形態】
【００１５】
本発明者は、成果保証型広告では、バナー広告のデザインが悪い場合や、商品やサービス自体に魅力がない場合、あるいは広告主側のシステムやサイトのデザインに問題があって成果が出ない場合などにおいて、メディア側が、本来は広告主側が負担すべきリスクをすべて背負わされることになっており、よほど単価が高くない限り、メディア側にとっては利益を生み出しにくい広告手法である点に着目し、メディア側がクリック数に比例した報酬を得られるシステムを実現すると共に、あるメディアが有する広告情報掲載ページにリンクされた特定広告情報を他のメディアの広告上場掲載ページに掲載することによって、従来の問題点を解決することができることを見出し、本発明をするに至った。
【００１６】
すなわち、本発明は、広告主の商用情報を、ＷＥＢ上で閲覧可能な商用情報掲載ページに掲載する少なくとも一つの商用サーバ装置と、前記商用サーバ装置の商用情報掲載ページにリンクされた広告情報を、ＷＥＢ上で閲覧可能な第１の広告情報掲載ページに掲載する第１の広告掲載サーバ装置と、前記商用サーバ装置の商用情報掲載ページまたは前記商用サーバ装置以外の商用サーバ装置の商用情報掲載ページにリンクされた広告情報を、ＷＥＢ上で閲覧可能な第２の広告情報掲載ページに掲載する第２の広告掲載サーバ装置と、を備え、前記第２の広告掲載サーバ装置は、前記第１の広告掲載サーバ装置の第１の広告情報掲載ページにリンクされた特定広告情報を、前記第２の広告情報掲載ページに掲載する構成を採る。
【００１７】
また、本発明において、前記第１の広告掲載サーバ装置は、前記第２の広告情報掲載ページに掲載された特定広告情報から前記第１の広告情報掲載ページに遷移した回数をカウントし、前記カウント値に基づいて定められた金銭的価値を示すデータを出力する構成を採る。
【００１８】
これにより、本発明者は、第１の広告掲載サーバ装置が、広告代理店の機能を果たし、特定広告情報を介して、第１の広告情報掲載ページにリンクされている広告情報が、第２の広告情報掲載ページからもアクセスすることを可能とし、広告効果を高めることが可能とした。また、特定広告情報からのページ遷移の回数に応じて第２の広告掲載サーバ装置を運営するオーナが報酬を確実かつ公平に得ることを可能とした。以下、本発明の実施形態について図面を参照しながら具体的に説明する。
【００１９】
図１は、本実施形態に係る広告情報提供システムの概略構成を示す図である。図１において商用サーバ装置１０は、広告主の商用情報を、ＷＥＢ上で閲覧可能な商用情報掲載ページに掲載する。この商用サーバ装置１０は、図１では、一つ示しているが、システム上に少なくとも一つ存在すれば良く、複数存在させることも可能である。
【００２０】
また、第１の広告掲載サーバ装置２０は、商用サーバ装置１０の商用情報掲載ページにリンクされた広告情報を、ＷＥＢ上で閲覧可能な第１の広告情報掲載ページに掲載する。
【００２１】
次に、第２の広告掲載サーバ装置３０は、商用サーバ装置１０の商用情報掲載ページまたは商用サーバ装置１０以外の商用サーバ装置の商用情報掲載ページにリンクされた広告情報を、ＷＥＢ上で閲覧可能な第２の広告情報掲載ページに掲載する。さらに、第２の広告情報掲載ページには、第１の広告掲載サーバ装置の第１の広告情報掲載ページにリンクされた特定広告情報が掲載される。
【００２２】
上記商用サーバ装置１０、第１の広告掲載サーバ装置２０および第２の広告掲載サーバ装置３０は、ネットワーク４０により相互に接続されており、データの送信受信が可能となっている。また、第１の広告掲載サーバ装置２０および第２の広告掲載サーバ装置３０は、図示しないユーザの携帯端末装置（携帯電話機、ＰＤＡなどを含む）に対して、ＷＥＢ上で広告情報を閲覧させることが可能である。
【００２３】
図２は、第１の広告情報掲載ページおよび第２の広告情報掲載ページのイメージを示す図である。ここでは、第２の広告掲載サーバ装置３０がホストサイトとして機能しており、第２の広告情報掲載ページ５０を、ＷＥＢ上で閲覧可能としている。この第２の広告情報掲載ページ５０には、第１の広告掲載サーバ装置２０の第１の広告情報掲載ページ（６１、６２、６３−ａ〜６３−ｃ）にリンクされた特定広告情報（５１、５２、５３）が掲載されている。
【００２４】
図２において、ユーザ５４が、例えば、携帯電話機のＷＥＢ閲覧機能を用いてホストサイトである第２の広告掲載サーバ装置３０の第２の広告情報掲載ページ５０にアクセスしたとする。すると、ユーザは、特定広告情報（５１、５２、５３）を視認することができる。ユーザ５４が特定広告情報５１をクリックすると、その特定広告情報５１にリンクされた第１の広告情報掲載ページ６１にページが遷移する。第１の広告情報掲載ページ６１には、第１の広告掲載サーバ装置２０におけるトップページとして、種々のコンテンツ、リンク先などの内容が掲載されている。ユーザ５４が第１の広告情報掲載ページ６１のいずれかの広告情報をクリックすると、それにリンクされたページを閲覧することができる。
【００２５】
また、ユーザ５４が、第２の広告情報掲載ページ５０における特定広告情報５２をクリックすると、その特定広告情報５２にリンクされた第１の広告情報掲載ページ６２にページが遷移する。第１の広告情報掲載ページ６２は、第１の広告掲載サーバ装置２０が運営・管理する検索ページとなっている。ユーザ５４がこの検索ページを利用して、検索結果を示すページに遷移した場合に、第１の広告掲載サーバ装置２０がそのクリック数をカウントする。そして、カウント値（クリック数）に基づいて定められた金銭的価値を示すデータを出力する。この場合、一定の期間内でクリック数を集計し、合計のクリック数に応じて定められた金銭的価値を示すデータを出力しても良いし、クリック毎に１クリックに応じて定められた金銭的価値を示すデータを出力しても良い。この金銭的価値を示すデータにより、第２の広告掲載サーバ装置３０のオーナは確実かつ公平に報酬を得ることができる。
【００２６】
また、第２の広告情報掲載ページ５０における特定広告情報５３は、複数のカテゴリに分かれており、それぞれについてリンクが張られている。ユーザ５４が、特定広告情報５３のいずれかをクリックすると、その特定広告情報５３にリンクされた第１の広告情報掲載ページ６３−ａ〜６３−ｃにページが遷移する。第１の広告情報掲載ページ６３−ａ〜６３−ｃでは、それぞれのカテゴリ毎に広告情報が掲載されている。ユーザ５４がいずれかの広告情報をクリックすると、その広告内容を示すページに遷移し、ユーザ５４はクリックした広告内容を閲覧することができる。ここで、第１の広告情報掲載ページ６３−ａ〜６３−ｃのいずれかの広告情報がクリックされ、対応する広告ページに遷移した場合に、第１の広告掲載サーバ装置２０がそのクリック数をカウントする。そして、カウント値（クリック数）に基づいて定められた金銭的価値を示すデータを出力する。この場合、一定の期間内でクリック数を集計し、合計のクリック数に応じて定められた金銭的価値を示すデータを出力しても良いし、クリック毎に１クリックに応じて定められた金銭的価値を示すデータを出力しても良い。この金銭的価値を示すデータにより、第２の広告掲載サーバ装置３０のオーナは確実かつ公平に報酬を得ることができる。
【００２７】
このように、本実施形態に係る広告情報提供システムによれば、クリック数（ページの遷移回数）に応じて金銭的価値が定められているため、サイトオーナ（メディア）は、平等に利益を得ることができる。その結果、従来のクリック保証広告よりもサイトオーナ（メディア）に対する利益の還元性を高めることができる。
【図面の簡単な説明】
【００２８】
【図１】本実施形態に係る広告情報提供システムの概略構成を示す図である。
【図２】第１の広告情報掲載ページおよび第２の広告情報掲載ページのイメージを示す図である。
【符号の説明】
【００２９】
１０  商用サーバ装置
２０  第１の広告掲載サーバ装置
３０  第２の広告掲載サーバ装置
４０  ネットワーク
５０  第２の広告情報掲載ページ
５１  特定広告情報
５２  特定広告情報
５３  特定広告情報
５４  ユーザ
６１  第１の広告情報掲載ページ
６２  第１の広告情報掲載ページ
６３  第１の広告情報掲載ページ
【図１】
2007334661.tif 000003
【図２】
2007334661.tif 000004